(57)【要約】【課題】基板に設けたコネクタによる光ムラを防止することができるＬＥＤユニットおよび照明器具を提供する。【解決手段】ＬＥＤ基板２１ＡにおけるＬＥＤ２２の配列方向端部に配置するコネクタ２３、２４を、配列線Ｌ１から外れた位置に設けた。このため、ＬＥＤ２２からの光をコネクタ２３、２４が遮ったり反射したりするのを防止することができ、コネクタ２３、２４による光ムラを防止することができる。また、ＬＥＤ基板２１Ａの端部に配置するＬＥＤ２２のピッチＤ１が、コネクタ２３、２４により制限されないので、特に、ＬＥＤユニット２０を連結した際に、連結部における光ムラも防止できる。【選択図】図２
2013251444.tif 000002
【特許請求の範囲】
【請求項１】
短冊状のＬＥＤ基板と、
前記ＬＥＤ基板の配列線に沿って配置される複数個のＬＥＤと、を有し、
前記ＬＥＤ基板の端部において前記配列線から外れた位置にコネクタを設けたＬＥＤユニット。
【請求項２】
請求項１に記載のＬＥＤユニットにおいて、
複数個の前記ＬＥＤ基板の前記コネクタ同士を接続したＬＥＤユニット。
【請求項３】
短冊状のＬＥＤ基板と、
前記ＬＥＤ基板の配列線に沿って配置される複数個のＬＥＤと、を有し、
前記ＬＥＤ基板の端部において前記配列線から外れた位置にコネクタを設けたＬＥＤユニットを用いた照明器具。
【発明の詳細な説明】
【技術分野】
【０００１】
本発明は、基板上に複数個のＬＥＤとコネクタとを有するＬＥＤユニットおよび照明器具に関するものである。
【背景技術】
【０００２】
従来より、基板上に複数個のＬＥＤを実装するとともに、基板の両端部にコネクタを備えたＬＥＤユニットが知られている（例えば、特許文献１参照）。
図７に示すように、特許文献１に記載の発光モジュール（ＬＥＤユニット）１００は、例えば長方形の基板１０１を有する。基板１０１は、発光面となる表面に、複数個の発光ダイオード（ＬＥＤ）１０２を直列接続した回路１０３を有する。また、基板１０１の一端における幅方向中央部には連結コネクタ１０４が設けられており、他端における幅方向中央部には端部コネクタ１０５が設けられている。
【０００３】
従って、２個の発光モジュール１００、１００の連結コネクタ１０４、１０４同士を連結することにより、２個の発光モジュール１００、１００を、連結コネクタ１０４、１０４を中心とした点対称状態で連結することができる。この際、一方の端部コネクタ１０５には短絡片１０６を取り付け、他方の端部コネクタ１０５には電源線１０７が取り付けられる。
【０００４】
なお、図示はしないが、基板１０１の両端に連結コネクタ１０４を有する発光モジュール１００を用いることにより、２個以上の発光モジュール１００を連結することが可能となっている。
【先行技術文献】
【特許文献】
【０００５】
【特許文献１】特開２０１０−９８３０２号公報（第１図）
【発明の概要】
【発明が解決しようとする課題】
【０００６】
しかしながら、前述した特許文献１に記載のＬＥＤユニット（発光モジュール１００）においては、基板１０１の両端に設けられている連結コネクタ１０４および端部コネクタ１０５が、基板１０１の幅方向中央部に設けられている。
このため、連結コネクタ１０４、端部コネクタ１０５によって光ムラができたり、コネクタ１０４、１０５のために端部のＬＥＤ１０２のピッチが変わって光ムラが生じたりするという問題があった。
【０００７】
本発明は、従来の問題を解決するためになされたもので、基板に設けたコネクタによる光ムラを防止することができるＬＥＤユニットおよび照明器具を提供することを目的とする。
【課題を解決するための手段】
【０００８】
本発明のＬＥＤユニットは、短冊状のＬＥＤ基板と、前記ＬＥＤ基板の配列線に沿って配置される複数個のＬＥＤと、を有し、前記ＬＥＤ基板の端部において前記配列線から外れた位置にコネクタを設けたものである。
【０００９】
また、本発明のＬＥＤユニットは、複数個の前記ＬＥＤ基板の前記コネクタ同士を接続したものである。
【００１０】
さらに、本発明の照明器具は、前述したＬＥＤユニットを用いたものである。
【発明の効果】
【００１１】
本発明は、ＬＥＤ基板におけるＬＥＤの配列方向端部に配置するコネクタを、配列線から外れた位置に設けたので、ＬＥＤからの光をコネクタが遮ったり反射したりするのを防止することができ、コネクタによる光ムラを防止することができるという効果を有するＬＥＤユニットおよび照明器具を提供できる。
【図面の簡単な説明】
【００１２】
【図１】本発明に係る第１実施形態の照明器具の分解斜視図
【図２】本発明に係る第１実施形態の単独ＬＥＤユニットの平面図
【図３】本発明に係る第１実施形態の単独ＬＥＤユニットの変形例の平面図
【図４】本発明に係る第１実施形態の連結ＬＥＤユニットの一部を示す平面図
【図５】本発明に係る第２実施形態の単独ＬＥＤユニットおよび連結ＬＥＤユニットの一部を示す平面図
【図６】本発明に係る第２実施形態の連結ＬＥＤユニットの全体平面図
【図７】従来の発光モジュールの平面図
【発明を実施するための形態】
【００１３】
（第１実施形態）
以下、本発明に係る第１実施形態のＬＥＤユニットおよび照明器具について、図面を用いて説明する。
図１に示すように、本発明に係る第１実施形態の照明器具１０Ａは、例えば天井（図示省略）等の被取付部に取り付けて、下方を照明するのに用いることができる。
【００１４】
照明器具１０Ａは、器具本体１１と、反射板１２と、光源である直線的なＬＥＤ発光部１６Ａと、取付板１３と、カバー１４を有する。
器具本体１１は、天井等に取り付けられる板状部材であり、主に金属製である。器具本体１１には、ＬＥＤ発光部１６Ａに点灯電力を供給する電源装置１５が取り付けられる。
また、器具本体１１は、器具本体１１を天井面等に取り付けるための取付孔１１１が設けられている。
【００１５】
ＬＥＤ発光部１６Ａは、ＬＥＤユニットとしての単独ＬＥＤユニット２０または連結ＬＥＤユニット３０を有する。ここで、「単独ＬＥＤユニット２０」は、単独ＬＥＤユニットの総称であり、「連結ＬＥＤユニット３０」は、連結ＬＥＤユニットの総称である。なお、単独ＬＥＤユニット２０および連結ＬＥＤユニット３０については、詳細を後述する。
反射板１２は台形断面に形成されており、下方に向いた反射面として一対の反射面１２１を有する。
取付板１３は、ＬＥＤ発光部１６Ａを支持して、反射板１２の下面１２２に取り付けられる。
【００１６】
カバー１４は透光性の樹脂等からなり、ＬＥＤ発光部１６Ａを覆うように取付板１３に取り付けられる。
ここでは、カバー１４の断面は、半円形状に形成されている。また、ここでは、カバー１４は、照明器具１０Ａの全長を２分割するように設けられているが、全長を１個で覆うこともできるし、３個以上に分割することも可能である。
【００１７】
従って、ＬＥＤ発光部１６Ａから発せられた光は、カバー１４を透過して下方を照明する。また、カバー１４を透過して拡散された光は、反射板１２の反射面１２１で反射して、下方に照射される。
【００１８】
次に、直線的なＬＥＤ発光部１６Ａを構成するＬＥＤユニットとしての単独ＬＥＤユニット２０について詳細に説明する。
図２に示すように、単独ＬＥＤユニット２０Ａは、１枚の矩形板状のＬＥＤ基板２１Ａを有しており、配列線Ｌ１に沿って複数個のＬＥＤ２２が実装されている。
ここでは、配列線Ｌ１は、ＬＥＤ基板２１Ａの幅方向中央において、ＬＥＤ基板２１Ａの長手方向に沿って設けられているので、ＬＥＤ基板２１Ａの中心線ＣＬと一致している。
従って、ＬＥＤ２２は、ＬＥＤ基板２１Ａの幅方向中央において、配列線Ｌ１（ＣＬ）に沿って等間隔Ｄ１で実装される。
【００１９】
また、ＬＥＤ基板２１Ａの長手方向両端部には、コネクタ２３、２４が設けられている。コネクタ２３、２４は、配列線Ｌ１から外れた位置（例えば図２において上側）に設けられる。
コネクタ２３およびコネクタ２４は、電源装置１５からの接続線（図示省略）が接続されて、電力の供給を受ける。また、コネクタ２３とコネクタ２４とは、互いに接続可能である。
【００２０】
図３には、上述した単独ＬＥＤユニット２０Ａの変形例が示されている。なお、前述した単独ＬＥＤユニット２０Ａと共通する部位には同じ符号を付して、重複する説明を省略することとする。
図３に示すように、この単独ＬＥＤユニット２０Ｂでは、ＬＥＤ２２を設ける配列線Ｌ１は、ＬＥＤ基板２１Ａの幅方向端部（図３では上側端部）寄りに設けられている。
一方、コネクタ２３、２４は、ＬＥＤ基板２１Ａの中心線ＣＬに沿って、長手方向両端に設けられており、配列線Ｌ１から外れて設けられている。
あるいは、図示はしないが、配列線Ｌ１を幅方向一方の端部側に寄せるとともに、コネクタ２３、２４を、中心線ＣＬに対して配列線Ｌ１と反対側の端部側に設けることも可能である。
【００２１】
次に、直線的なＬＥＤ発光部１６Ａ（図１参照）を構成するＬＥＤユニットとしての連結ＬＥＤユニット３０Ａについて説明する。
図４には、前述した単独ＬＥＤユニット２０Ａを複数個連結した連結ＬＥＤユニット３０Ａが示されている。
連結ＬＥＤユニット３０Ａは、単独ＬＥＤユニット２０Ａ（図２参照）における右側のコネクタ２３と、隣接する単独ＬＥＤユニット２０Ａの左側のコネクタ２４とを接続して、単独ＬＥＤユニット２０Ａを直線的に連結したものである。
【００２２】
単独ＬＥＤユニット２０Ａの右側端部のＬＥＤ２２１と、右側に隣接する単独ＬＥＤユニット２０Ａの左側端部のＬＥＤ２２２との間隔は、コネクタ２３、２４が配列線Ｌ１から外れているため、他のＬＥＤ間隔と同じ間隔Ｄ１に設定することができる。
これにより、連結部においてもＬＥＤ２２の間隔が一定であり、光の均一化を図っている。
なお、図示はしないが、前述した単独ＬＥＤユニット２０Ｂ（図３参照）を複数個直線的に連結することも可能である。
【００２３】
以上、説明した本発明に係る第１実施形態のＬＥＤユニットとしての単独ＬＥＤユニット２０（２０Ａ、２０Ｂ）によれば、ＬＥＤ基板２１ＡにおけるＬＥＤ２２の配列方向端部に配置するコネクタ２３、２４を、ＬＥＤ２２の配列線Ｌ１から外れた位置に設けた。
このため、ＬＥＤ２２からの光をコネクタ２３、２４が遮ったり反射したりするのを防止することができ、コネクタ２３、２４によって生じる光ムラを防止することができる。
【００２４】
また、本発明に係る第１実施形態のＬＥＤユニットとしての連結ＬＥＤユニット３０（３０Ａ）によれば、前述した単独ＬＥＤユニット２０を連結した。
このため、単独ＬＥＤユニット２０と同様の効果を得ることができ、コネクタ２３、２４によって生じる光ムラを防止することができる。
また、ＬＥＤ基板２１Ａの端部に配置するＬＥＤ２２のピッチＤ１が、コネクタ２３、２４により制限されないので、複数のＬＥＤユニット２０を連結した際に、連結部における光ムラも防止できる。
【００２５】
さらに、本発明に係る第１実施形態の照明器具１０Ａによれば、前述したＬＥＤユニット２０、３０を用いたので、前述した単独ＬＥＤユニット２０および連結ＬＥＤユニット３０と同様、全体の光ムラを防止できる。
【００２６】
（第２実施形態）
次に、本発明に係る第２実施形態のＬＥＤユニットおよび照明器具について、図面を用いて説明する。
なお、前述した第１実施形態のＬＥＤユニット２０（２０Ａ、２０Ｂ）、３０（３０Ａ）および照明器具１０Ａと共通する部位には同じ符号を付して、重複する説明を省略することとする。
【００２７】
図５および図６に示すように、第２実施形態の照明器具１０Ｂでは、ＬＥＤ発光部１６Ｂが円弧状に湾曲したものである。
ＬＥＤ発光部１６Ｂを形成するＬＥＤユニットとしての連結ＬＥＤユニット３０Ｂでは、連結ＬＥＤユニット３０Ｂを構成する単独ＬＥＤユニット２０（２０Ｃ）として、ＬＥＤ基板２１Ｂが部分円弧状に湾曲されたものを用いた。
図６に示すように、この連結ＬＥＤユニット３０Ｂは、全体として閉じた円形を形成することができる。従って、例えば４分の１円弧状（中心角９０度）の単独ＬＥＤユニット２０Ｃを４個連結することにより、円形の照明器具１０Ｂに適用することができる。
【００２８】
以上、説明した本発明に係る第２実施形態のＬＥＤユニットおよび照明器具によれば、前述した第１実施形態のＬＥＤユニット２０（２０Ａ、２０Ｂ）、３０（３０Ａ）および照明器具１０Ａと同様の効果を有し、光ムラを防止することができる。
【００２９】
なお、本発明のＬＥＤユニットおよび照明器具は、前述した実施形態に限定されるものでなく、適宜な変形、改良等が可能である。
【符号の説明】
【００３０】
１０Ａ、１０Ｂ  照明器具
２０、２０Ａ、２０Ｂ、２０Ｃ  単独ＬＥＤユニット（ＬＥＤユニット）
２１Ａ、２１Ｂ  ＬＥＤ基板
２２  ＬＥＤ
２３、２４  コネクタ
３０、３０Ａ、３０Ｂ  連結ＬＥＤユニット（ＬＥＤユニット）
Ｌ１  配列線
【図１】
2013251444.tif 000003
【図２】
2013251444.tif 000004
【図３】
2013251444.tif 000005
【図４】
2013251444.tif 000006
【図５】
2013251444.tif 000007
【図６】
2013251444.tif 000008
【図７】
2013251444.tif 000009